(57)【要約】【課題】ディスクの外周端面に指を掛けてディスクを確実に取り出しできるディスク装置を提供する。【解決手段】ディスク装置１は、略円形状のディスクＤを回転させる駆動手段、回転するディスクＤに記録された情報の再生及び／又はディスクＤへ情報の記録を行う情報読取／書込手段４Ｂ、並びに、これらを制御する制御手段を備えた装置本体と、装置本体を収納する筐体とを備える。筐体は、駆動手段および情報読取／書込手段４Ｂに応じた位置に、ディスクＤを収納する収納凹部３が形成された筐体本体２１と、筐体本体２１に回動可能に軸支され、収納凹部３を閉塞する蓋部とを備える。収納凹部３は、収納凹部３底面に突設され、駆動手段の回転軸を中心として装着されたディスクＤを囲み、かつ、ディスクＤの収納方向から見たときに、ディスクＤの外形輪郭形状に沿った円形状と多角形状とが組み合わされた形状を有する凸状部３２を備える。【選択図】  図１２
2005353253.tif 000002
【特許請求の範囲】
【請求項１】
情報を記録および／または再生する略円形状のディスクを回転させる駆動手段、回転するディスクに記録された情報の再生および／または前記ディスクへの情報の記録を行う情報読取／書込手段、ならびに、これらを制御する制御手段を備えた装置本体と、この装置本体を収納する筐体とを備えたディスク装置であって、
前記筐体は、前記駆動手段および前記情報読取／書込手段に応じた位置に、前記ディスクを収納する収納凹部が形成された筐体本体と、この筐体本体に回動可能に軸支され、前記収納凹部を閉塞する蓋部とを備え、
前記収納凹部には、該収納凹部底面に突設され、前記駆動手段の回転軸を中心として装着されたディスクを囲む凸状部が形成され、
この凸状部によって形成されるディスクを囲む空間は、前記ディスクの収納方向から見たときに、前記ディスクの外形輪郭形状に沿った円形状と多角形状とが組み合わされた形状を有していることを特徴とするディスク装置。
【請求項２】
請求項１に記載のディスク装置において、
前記凸状部によって形成されるディスクを囲む空間は、前記ディスクの収納方向から見たときに、各辺の長さが前記ディスクの直径よりも小さく、かつ、対角線の長さが前記ディスクの直径より大きい矩形状で、各辺の略中央が該ディスク形状に応じて円形状に膨出した形状を有していることを特徴とするディスク装置。
【請求項３】
請求項１または請求項２に記載のディスク装置において、
前記収納凹部に収納されるディスク端面と対向する前記凸状部の面は、該凸状部の突出方向に向かうにしたがって、該ディスク端面から遠ざかるように傾斜して形成されていることを特徴とするディスク装置。
【請求項４】
請求項２または請求項３に記載のディスク装置において、
前記凸状部が形成する矩形状の四隅のうち、少なくとも１つの角隅部底面が前記収納凹部の底面より深く形成されていることを特徴とするディスク装置。
【請求項５】
請求項４に記載のディスク装置において、
前記凸状部が形成する矩形状の四隅のうち、前記蓋部が回動自在に軸支された端部とは反対側に位置する２つの角隅部底面が前記収納凹部の底面より深く形成されていることを特徴とするディスク装置。
【請求項６】
請求項１から請求項５のいずれかに記載のディスク装置において、
前記筐体は、前記蓋部が設けられる面とは反対側の面を底面とする横置き状態、および、前記蓋部が設けられる面を側面とし、この面に隣り合う面を底面とする縦置き状態に配置可能なことを特徴とするディスク装置。
【請求項７】
請求項６に記載のディスク装置において、
前記縦置き状態では、前記蓋部が側面上部になることを特徴とするディスク装置。
【請求項８】
請求項５または請求項７に記載のディスク装置において、
前記縦置き状態における前記筐体の底面には、当該筐体に装着される転倒防止用のスタンドを取り付けるためのスタンド取付部が形成されていることを特徴とするディスク装置。
【請求項９】
請求項８に記載のディスク装置において、
前記筐体に装着される転倒防止用のスタンドを備え、
前記スタンド取付部は、少なくとも２つの係合孔と、１つの締結具挿入孔とを備え、
前記スタンドは、基板と、この基板の略中央に設けられ前記筐体の底面を支持する支持台部と、この支持台部に設けられ前記２つの係合孔に係合する係合爪部と、前記基板の底面から貫通して前記締結具挿入孔に挿入され前記スタンドと筐体とを一体化する締結具とを含んで構成されていることを特徴とするディスク装置。
【請求項１０】
請求項１から請求項９のいずれかに記載のディスク装置において、
前記筐体には、前記筐体本体と前記蓋部とを仕切る別体の仕切部材を備えることを特徴とするディスク装置。
【発明の詳細な説明】
【技術分野】
【０００１】
本発明は、情報を記録および／または再生するディスクを回転させる駆動手段、回転するディスクに記録された情報の再生および／または前記ディスクへの情報の記録を行う情報読取／書込手段、ならびに、これらを制御する制御手段を備えた装置本体と、この装置本体を収納する筐体とを備えたディスク装置に関する。
【背景技術】
【０００２】
従来から、ＣＤ、ＤＶＤ等の光ディスクに記録された情報を再生する光ディスク装置や、光ディスクに対して情報の記録／再生を行う光ディスク装置が知られている。これらの光ディスク装置は、装着された光ディスクの情報記録面に光学ピックアップから光スポットを照射して、その反射光を検出することにより、情報を記録および／または再生するように構成されている。
【０００３】
このような光ディスク装置として、光ディスクを収納する収納部と、この収納部のディスク収納用開口を閉塞し、該収納部に収納された光ディスクを覆う蓋部とを備えた光ディスク装置が知られている（例えば、特許文献１参照）。このような光ディスク装置では、収納部は、該収納部に収納される光ディスクの形状に合わせて平面視略円形状で、かつ、断面略凹状に形成され、この収納部内に、光ディスクを回転自在に支持するスピンドルモータが露出している。
【０００４】
このような構成の光ディスク装置では、蓋部を開放して、収納部に露出しているスピンドルモータに光ディスクを装着した後、蓋部を閉塞することで、光ディスクは収納部内に収納される。一方、光ディスクを取り出す際には、蓋部を開放し、収納部の端部に形成された切り欠きから光ディスクの端縁に指をかけ、該光ディスクの端部を持ち上げるようにすることで、スピンドルモータと光ディスクとの係合が解除され、光ディスクを収納部から取り出すことができる。
【０００５】
【特許文献１】特開平１１−１２６４０９号公報
【発明の開示】
【発明が解決しようとする課題】
【０００６】
特許文献１に記載の光ディスク装置では、収納部が光ディスクの形状に合わせて円形状に形成され、その両側に切り欠きが形成された構成であるため、ディスクを取り出す際には、片手をディスクの上面側に位置させ、その片手の親指と残りの指を両側の切り欠きから差し入れてディスクの直径方向両端側を挟み、ディスクを収納部から取り出すことになる。その際、ディスクを挟む指がディスクの記録面に触れる可能性が高いため、確実にディスクの外周端面に指を掛けて取り出すことができる構造が望まれている。
【０００７】
本発明の目的は、ディスクの外周端面に指を掛けてディスクを確実に取り出しできるディスク装置を提供することである。
【課題を解決するための手段】
【０００８】
本発明のディスク装置は、情報を記録および／または再生する略円形状のディスクを回転させる駆動手段、回転するディスクに記録された情報の再生および／または前記ディスクへの情報の記録を行う情報読取／書込手段、ならびに、これらを制御する制御手段を備えた装置本体と、この装置本体を収納する筐体とを備えたディスク装置であって、前記筐体は、前記駆動手段および前記情報読取／書込手段に応じた位置に、前記ディスクを収納する収納凹部が形成された筐体本体と、この筐体本体に回動可能に軸支され、前記収納凹部を閉塞する蓋部とを備え、前記収納凹部には、該収納凹部底面に突設され、前記駆動手段の回転軸を中心として装着されたディスクを囲む凸状部が形成され、この凸状部によって形成されるディスクを囲む空間は、前記ディスクの収納方向から見たときに、前記ディスクの外形輪郭形状に沿った円形状と多角形状とが組み合わされた形状を有していることを特徴とする。
【０００９】
ここで、ディスクとしては、ＣＤ、ＣＤ−ＲＯＭ、ＣＤ−Ｒ、ＣＤ−ＲＷおよびＤＶＤ−ＲＯＭ、ＤＶＤ−Ｒ、ＤＶＤ−ＲＷ、ＤＶＤ＋Ｒ、ＤＶＤ＋ＲＷ、ＤＶＤ−ＲＡＭ等の光ディスク、ＭＯディスク（光磁気ディスク）、磁気ディスク等を挙げることができる。
また、ディスクの外形輪郭形状に沿った円形状と多角形状との組み合わせとしては、円形状と、三角形以上の多角形状との組み合わせを意味する。つまり、円形状の輪郭の一部と多角形状の輪郭の一部との組み合わせによって、凸状部によって形成されるディスクを囲む空間形状が構成されている。
本発明によれば、凸状部によって形成されるディスクを囲む空間が、ディスクの外形輪郭形状に沿った円形状と多角形状とが組み合わされた形状を有しているから、つまり、円形状の外側に多角形状の角隅部を有する空間形状になるから、この角隅部から指を差し込んでディスクを取り出すことができる。しかも、指を差し込む部分は、矩形状の角隅部によって形成されているから、つまり、矩形状の角隅部からディスクの外周縁へ向かうに従って幅寸法が次第に広がる略三角形状に形成されているから、指を差し込みやすく、かつ、その指を角隅部の底面に沿ってディスク外周面に向かって進ませれば、指をディスク外周端面に直接当てることができる。従って、ディスクの記録面に指が触れることなく、ディスクを取り出すことができる。
【００１０】
本発明では、前記凸状部によって形成されるディスクを囲む空間は、前記ディスクの収納方向から見たときに、各辺の長さが前記ディスクの直径よりも小さく、かつ、対角線の長さが前記ディスクの直径より大きい矩形状で、各辺の略中央が該ディスク形状に応じて円形状に膨出した形状を有していることが好ましい。
本発明によれば、凸状部によって形成されるディスクを囲む空間が、ディスクの直径よりも各辺の長さが小さく、かつ、対角線の長さがディスクの直径より大きい矩形状に形成されているから、矩形状の四隅部分にディスクの端面との間に指を差し入れる空間が形成される。従って、収納凹部に収納されたディスクを取り出す場合に、矩形状の四隅部分から指を差し入れ、ディスク端面に指をかけ、該ディスクを持ち上げることができるので、従来のディスク装置に比べ、ディスク端面に指をかけることのできる収納凹部の領域を拡大することができる。従って、ディスク取出時の自由度を向上することができ、ディスクの取出操作を容易に行うことができる。また、この矩形状部分は、各辺の長さが、ディスクの直径より小さいとされているので、収納凹部を大きく形成しなくても、ディスクの取り出しを容易にすることができる。従って、ディスク装置内の空間を有効に活用することができ、該ディスク装置の小型化を図ることができる。
【００１１】
本発明では、前記収納凹部に収納されるディスク端面と対向する前記凸状部の面は、該凸状部の突出方向に向かうにしたがって、該ディスク端面から遠ざかるように傾斜して形成されていることが好ましい。
本発明によれば、ディスク端面に対向する凸状部の面は、傾斜して形成されているので、この傾斜面が、ディスクを収納凹部に収納する際の案内面とすることができる。これによれば、この傾斜面に沿ってディスクを収納凹部に収納することができるので、収納凹部へのディスクの収納操作を一層容易に行うことができる。
【００１２】
本発明では、前記凸状部が形成する矩形状の四隅のうち、少なくとも１つの角隅部底面が前記収納凹部の底面より深く形成されていることが好ましい。
本発明によれば、凸状部が形成する矩形状の四隅のうち、少なくとも１つの角隅部底面が収納凹部の底面より深く形成されているから、収納凹部に収納されたディスクの底面と１つの角隅部底面との間に段差が形成される。そのため、収納凹部に収納されたディスクを取り出す場合に、矩形状の四隅部分から指を差し入れ、その指の先端部分をディスク端面からディスクの底面側に差し込むことができるから、ディスクを持ち上げやすい。つまり、ディスクの取出操作をより容易に行うことができる。
【００１３】
本発明では、前記凸状部が形成する矩形状の四隅のうち、前記蓋部が回動自在に軸支された端部とは反対側に位置する２つの角隅部底面が前記収納凹部の底面より深く形成されていることが好ましい。
本発明によれば、凸状部が形成する矩形状の四隅のうち、蓋部の回動軸支側とは反対側に位置する２つの角隅部底面が収納凹部の底面より深く形成されているから、この２つの角隅部のいずれからもディスクの取出操作を行うことができる。つまり、蓋部の回動軸支側とは反対側を正面とすると、左右どちらからでも、ディスクの取出操作を行うことができるから、使い勝手に優れる。
【００１４】
本発明では、前記筐体は、前記蓋部が設けられる面とは反対側の面を底面とする横置き状態、および、前記蓋部が設けられる面を側面とし、この面に隣り合う面を底面とする縦置き状態に配置可能なことが好ましい。
本発明によれば、ディスク装置を横置き状態および縦置き状態に配置できるので、設置場所に応じて、ディスク装置の姿勢を選択することができる。従って、ディスク装置の配置の自由度を向上することができる。
【００１５】
本発明では、前記縦置き状態では、前記蓋部が側面上部になることが好ましい。
本発明によれば、ディスク装置の縦置き状態では、蓋部が側面上部に位置することにより、蓋部が側面下部に位置する場合に比べ、蓋部の開閉を容易に行うことができるほか、蓋部の開放により露出する収納凹部へのディスクの収納操作および該収納凹部からのディスクの取出操作を容易に行うことができる。
【００１６】
本発明では、前記縦置き状態における前記筐体の底面には、当該ディスク装置に装着される転倒防止用のスタンドを取り付けるためのスタンド取付部が形成されていることが好ましい。
本発明によれば、スタンド取付部を介して転倒防止用のスタンドを取り付けることができるので、縦置き状態でのディスク装置を安定に配置することができる。
【００１７】
本発明では、前記筐体に装着される転倒防止用のスタンドを備え、前記スタンド取付部は、少なくとも２つの係合孔と、１つの締結具挿入孔とを備え、前記スタンドは、基板と、この基板の略中央に設けられ前記筐体の底面を支持する支持台部と、この支持台部に設けられ前記２つの係合孔に係合する係合爪部と、前記基板の底面から貫通して前記締結具挿入孔に挿入され前記スタンドと筐体とを一体化する締結具とを含んで構成されていることが好ましい。
本発明によれば、スタンドの支持台部上に筐体を縦置き状態で設置する。このとき、筐体に設けられた２つの係合孔をスタンドの係合爪部に挿入・係合させる。すると、筐体は、２つの係合孔と係合爪部との係合により回動規制された状態に位置決めされる。この後、締結具を、基板の底面から筐体の締結具挿入孔に挿入し、スタンドと筐体とを一体化する。これにより、スタンドと筐体とが一体化されると、筐体は、スタンドの基板により転倒防止される。
【００１８】
本発明では、前記筐体には、前記筐体本体と前記蓋部とを仕切る別体の仕切部材を備えることが好ましい。
本発明によれば、別体として設けられた仕切部材が、筐体本体と蓋部とを仕切るので、それぞれの筐体本体と、蓋部が設けられた筐体本体との厚さ寸法の違いを目立たなくさせることができる。すなわち、蓋部の開放を補助するために該蓋部の開放方向に付勢する付勢手段が設けられているなど、蓋部の構造により、該蓋部が設けられた筐体本体と、蓋部が設けられていない筐体本体との厚さ寸法の違いが、これらを近接して並べた場合に目立つ場合がある。ここで、本発明では、筐体本体と蓋部とを仕切る仕切部材を、筐体とは別体として該筐体に設けたことにより、筐体本体と、蓋部が設けられた筐体本体との間に間隔が生じることとなるので、これらの厚さ寸法の違いを目立たなくすることができる。
また、筐体本体に外圧が加わった場合でも、仕切部材により、筐体本体の湾曲等が抑制されるので、筐体本体の強度を向上することができる。
【発明を実施するための最良の形態】
【００１９】
以下、本発明の一実施形態を図面に基づいて説明する。
図１には、本実施形態のエンタテインメント装置１の構成を示す図が示されている。
エンタテインメント装置１は、例えば、ＣＤ、ＤＶＤ等の光ディスクに記録されているゲームプログラム等を読み出して、使用者（ゲームプレーヤ）が操作するコントローラ（図示略）からの指示に応じて、該ゲームプログラムを実行したり、該光ディスクに記録された音声情報および画像情報を再生するディスク装置である。また、このエンタテインメント装置１は、使用する光ディスクの種類によっては、該光ディスクに情報の記録を行うことができるように構成されている。
このエンタテインメント装置１は、図示を略すが、テレビジョン受像機と電気的に接続されており、コントローラ７を使用者が操作することにより、使用者の操作に応じた所定の処理、例えば、ゲームプログラムの処理等を行い、この処理結果から画像情報および音声情報を該テレビジョン受像機に出力する。
なお、ゲームの実行とは、主としてゲームの進行、および画像・音声情報の出力等を制御することをいう。
【００２０】
また、このエンタテインメント装置１は、コントローラ７のほかに、記録装置となるメモリーカード８が装着可能に構成されている。このメモリーカード８には、半導体メモリが内部に収納されており、使用者は、必要に応じてゲームの進行状況をメモリーカード８に記録できる構成とされている。
【００２１】
〔１．外観構成〕
図２および図３には、エンタテインメント装置１の斜視図が示されている。このうち、図２には、筐体に設けられた蓋部を閉塞した状態のエンタテインメント装置１が示されており、また、図３には、蓋部を開放した状態のエンタテインメント装置１が示されている。なお、図２および図３で示すＸ軸、Ｙ軸、Ｚ軸方向は、それぞれの図２および図３で同方向である。
エンタテインメント装置１は、図２および図３に示すように、平面視略矩形状で、かつ、正面視略Ｌ字状の合成樹脂製の筐体２を備え、この筐体２内に、エンタテインメント装置１全般の駆動制御等を行う装置本体（図示省略）が収納されている。
【００２２】
筐体２は、６つの面から構成されている。具体的には、筐体２は、横置き状態で、上方（Ｙ軸方向先端側）を向く面である上面部２Ａと、エンタテインメント装置１の正面側（Ｚ軸方向先端側）の面である正面部２Ｂと、正面部２Ｂに向かって右側（Ｘ軸方向先端側）の側面である側面部２Ｃと、左側（Ｘ軸方向基端側）面である側面部２Ｄと、正面部２Ｂの反対側（Ｚ軸方向基端側）の面である背面部２Ｅと、上面部２Ａとは反対側（Ｙ軸方向基端側）の面であり、設置場所に載置される底面部２Ｆにより構成されている。
このような筐体２は、横置き状態で、装置本体の上部を覆う筐体本体としてのアッパーケース２１と、装置本体の下部を覆うロアーケース２２とを備え、これらが互いに嵌合されて筐体２が構成されている。
【００２３】
アッパーケース２１は、Ｙ軸方向先端側の面である上面部２１Ａと、Ｚ軸方向先端側の面である正面部２１Ｂと、Ｘ軸方向先端側の側面であり、かつ、ロアーケース２２より突出した側の面である側面部２１Ｃと、この側面部２１Ｃの反対側の側面である側面部２１Ｄ（図７参照）と、正面部２１Ｂの反対側の側面である背面部２１Ｅ（図５参照）とにより構成されている。
また、同様に、ロアーケース２２は、正面部２２Ｂと、アッパーケース２１が突出した側の面である側面部２２Ｃと、この側面部２２Ｃとは反対側の側面である側面部２２Ｄ（図７参照）、背面部２２Ｅ（図５参照）と、Ｙ軸方向基端側の面である底面部２２Ｆ（図５参照）とにより構成されている。
すなわち、アッパーケース２１は、ロアーケース２２より側方（Ｘ軸方向先端側）および正面方向（Ｚ軸方向先端側）に突出している。
【００２４】
〔２．上面部の構成〕
エンタテインメント装置１の筐体２の上面部２Ａは、アッパーケース２１の上面部２１Ａにより構成されている。
アッパーケース２１の上面部２１Ａの図３における右側部分には、光ディスクが収納される収納凹部３が形成されている。この収納凹部３の背面側の端部には、該収納凹部３全面を覆う蓋部２１Ａ１が矢印Ａ方向に回動自在に取り付けられている。
蓋部２１Ａ１の正面部２１Ｂ側の端部には、図３に示すように、蓋部２１Ａ１底面、すなわち、蓋部２１Ａ１の収納凹部３に対向する面から面外方向に鉤状に突出する突起２１Ａ１１が２つ設けられている。これら突起２１Ａ１１は、蓋部２１Ａ１の閉状態で、アッパーケース２１内に設けられた図示しない係止部材と係合し、これにより、該蓋部２１Ａ１が係止される。この係止部材は、後述する蓋部開放スイッチを押下することにより、正面部２１Ｂの形成方向に沿って移動することにより、蓋部２１Ａ１の突起２１Ａ１１との係合が解除され、蓋部２１Ａ１が開放されるように構成されている。
蓋部２１Ａ１の回動支点近傍、すなわち、蓋部２１Ａ１の背面側端部には、蓋部２１Ａ１の回動軸周りに巻回されるコイルばね２１Ａ１２が設けられ、蓋部２１Ａ１は、このコイルばね２１Ａ１２の付勢力を利用して開放される構造とされている。
なお、収納凹部３の構造については、後に詳述する。
【００２５】
アッパーケース２１の上面部２１Ａの左側部分は、アッパーケース２１により構成される平坦部２１Ａ２とされている。この平坦部２１Ａ２と蓋部２１Ａ１との間には、これら平坦部２１Ａ２および蓋部２１Ａ１を仕切る合成樹脂製の仕切部材２１Ａ３が設けられている。この仕切部材２１Ａ３は、アッパーケース２１とは別部材で構成されており、アッパーケース２１に形成された図示しない嵌合部に嵌合されて取り付けられている。また、これら蓋部２１Ａ１、平坦部２１Ａ２および仕切部材２１Ａ３の上面は、同一平面上に位置するように形成されている。このような仕切部材２１Ａ３を設けて、平坦部２１Ａ２と蓋部２１Ａ１とを仕切ることにより、筐体２の製造段階で生じる平坦部２１Ａ２の上面と、蓋部２１Ａ１の上面との位置の誤差を目立たなくすることができる。また、筐体２に外圧が加わった場合でも、仕切部材２１Ａ３が補強材として作用し、筐体２の湾曲等が抑制される。従って、筐体２の強度を向上することができる。なお、仕切部材２１Ａ３は、筐体２とは別の材料により構成してもよい。
【００２６】
〔３．正面部の構成〕
図４には、エンタテインメント装置１の筐体２の正面部２Ｂが示されている。なお、図４において示すＸ軸、Ｙ軸方向は、図２および図３で示したＸ軸、Ｙ軸方向と、それぞれ同方向である。
エンタテインメント装置１の正面部２Ｂは、アッパーケース２１の正面部２１Ｂと、ロアーケース２２の正面部２２Ｂとにより構成されている。
このうち、アッパーケース２１の正面部２１Ｂには、図４にＸ軸方向である水平方向に沿って３本のリブ２１Ｂ１が、正面部２１Ｂから面外方向に突設されている。これらリブ２１Ｂ１は、正面部２１Ｂおよび側面部２１Ｃ（図２参照）の全面に渡って、Ｙ軸方向に等間隔に形成されている。詳述すると、正面部２１ＢのＹ軸方向基端側から先端側に向かって形成されたリブ２１Ｂ１１，２１Ｂ１２，２１Ｂ１３と、これらリブ２１Ｂ１１，２１Ｂ１２，２１Ｂ１３によって形成されるＹ軸方向基端側の凹部２１Ｂ２１および先端側の凹部２１Ｂ２２のそれぞれは、Ｙ軸方向の寸法が略一致するように形成されている。なお、Ｙ軸方向先端側のリブ２１Ｂ１３は、前述の平坦部２１Ａ２、仕切部材２１Ａ３および蓋部２１Ａ１のそれぞれから延出して形成されている。すなわち、平坦部２１Ａ２、仕切部材２１Ａ３および蓋部２１Ａ１のＺ軸方向先端側の位置は、他のリブ２１Ｂ１１，２１Ｂ１２のＺ軸方向先端側と同じ延出位置とされている。
【００２７】
アッパーケース２１の正面部２１Ｂには、メモリーカード８が挿入される開口である２つのカードスロット２１Ｂ３と、蓋部２１Ａ１を開放する蓋部開放スイッチ２１Ｂ５と、装置本体の電源をＯＮ／ＯＦＦする電源スイッチ２１Ｂ６が配置されている。
２つのカードスロット２１Ｂ３は、正面部２１Ｂにおける平坦部２１Ａ２から仕切部材２１Ａ３までの領域に、図４におけるＹ軸方向基端側の凹部２１Ｂ２１から中央のリブ２１Ｂ１２を挟んで先端側の凹部２１Ｂ２２にまたがって、Ｘ軸方向に長い略矩形状に、並列に形成されている。これらカードスロット２１Ｂ３には、それぞれ正面部２１Ｂに沿った回動軸を有し、アッパーケース２１内にリブ２１Ｂ１１に沿って収納される蓋部２１Ｂ４がそれぞれ設けられている。
【００２８】
蓋部開放スイッチ２１Ｂ５は、プッシュ式のスイッチであり、正面部２１Ｂの略中央に配置されている。また、この蓋部開放スイッチ２１Ｂ５は、中央に設けられたリブ２１Ｂ１２に沿って、かつ、リブ２１Ｂ１２の一部を構成するように、リブ２１Ｂ１２のＹ軸方向の寸法に合わせて形成されている。この蓋部開放スイッチ２１Ｂ５が押されると、前述の係止部材（図示省略）が正面部２１Ｂに沿って移動し、蓋部２１Ａ１の突起２１Ａ１１と係止部材との係合が解除される。これにより、蓋部２１Ａ１は、コイルばね２１Ａ１２の付勢力により開放される。
電源スイッチ２１Ｂ６は、蓋部開放スイッチ２１Ｂ５と同様に、プッシュ式のスイッチにより形成され、中央に設けられたリブ２１Ｂ１２に沿って、かつ、リブ２１Ｂ１２の一部を構成するように、リブ２１Ｂ１２のＹ軸方向の寸法に合わせて形成されている。この電源スイッチ２１Ｂ６には、ＬＥＤ２１Ｂ６１が設けられており、電源のＯＮ／ＯＦＦにより、発色が異なるように形成されている。詳述すると、図示しない電源ケーブルを介して電力が供給されているが、電源がＯＦＦされている状態と、電源がＯＮされている状態とが、ＬＥＤ２１Ｂ６１の発色状態によって判別できるように構成されている。
なお、これら蓋部開放スイッチ２１Ｂ５および電源スイッチ２１Ｂ６は、正面側（Ｚ軸方向先端側）の面が、リブ２１Ｂ１２の正面側の面に沿うように配置されている。すなわち、これらスイッチ２１Ｂ５，２１Ｂ６のＺ軸方向先端側の端面と、リブ２１Ｂ１１，２１Ｂ１２，２１Ｂ１３のＺ軸方向先端側の端面とは、Ｚ軸方向における形成位置が略一致するように配置および形成されている。
【００２９】
このような蓋部開放スイッチ２１Ｂ５および電源スイッチ２１Ｂ６が、リブ２１Ｂ１２の形成位置に、該リブ２１Ｂ１２と一体化するように配置されていることにより、これらスイッチ２１Ｂ５，２１Ｂ６が誤って入力されることを防ぐことができる。これにより、エンタテインメント装置１の操作中に、蓋部２１Ａ１が開放されたり、電源がＯＦＦされたりすることを防ぐことができる。特に、エンタテインメント装置１を移動させる場合等に、蓋部開放スイッチ２１Ｂ５に別の物が当たる等して、蓋部２１Ａ１が開放されることを防ぐことができる。従って、エンタテインメント装置１の誤動作を防ぐことができる。  また、これらスイッチ２１Ｂ５，２１Ｂ６が、リブ２１Ｂ１２と一体化するように配置されていることにより、これらスイッチ２１Ｂ５，２１Ｂ６と、リブ２１Ｂ１１，２１Ｂ１２，２１Ｂ１３との一体感を使用者に与えることができる。従って、筐体２の外観を一層良好とすることができる。
【００３０】
ロアーケース２２の正面部２２Ｂには、コントローラ７（図１参照）が接続される２つの開口であるコントローラ接続部２２Ｂ１と、正面部２２Ｂの中央に形成された凹部２２Ｂ２と、スリット状の開口部２２Ｂ３と、受光部４３が露出する開口部２２Ｂ４とが設けられている。
コントローラ接続部２２Ｂ１は、前述の２つのカードスロット２１Ｂ３の配置位置に応じて形成されており、それぞれのコントローラ接続部２２Ｂ１には、装置本体に接続されたコントローラコネクタ４１が露出している。
凹部２２Ｂ２は、正面部２２Ｂの略中央に略矩形状に形成され、この凹部２２Ｂ２の両端部には、装置本体に接続された２つの外部機器接続用端子４２が露出している。これら外部機器接続用端子４２は、ＵＳＢ（Universal Serial Bus）規格に準拠したものであり、キーボード等の入力装置、マウス等のポインティングデバイス、さらにはプリンタ装置、および光磁気ディスクドライブ等の外部記録装置が接続可能とされている。
【００３１】
開口部２２Ｂ３は、装置本体の構成部品を冷却する冷却空気を、外部から取り込むためのスリット状の開口である。この開口部２２Ｂ３の内側には、図示を略すが、防塵用のフィルタが配置されている。
開口部２２Ｂ４は、正面部２２Ｂの図４におけるＸ軸方向先端側に形成され、この開口部２２Ｂ４には、図示しないリモートコントローラからの赤外線信号を受信する受光部４３が露出している。この受光部４３は、装置本体に接続され、該受光部４３で受信した赤外線信号は、電気信号に変換され、後述する装置本体の入出力基板に出力される。
【００３２】
〔４．背面部の構成〕
図５には、エンタテインメント装置１の背面部２Ｅが示されている。なお、図５において示すＸ軸，Ｙ軸方向は、図２および図３において示したＸ軸、Ｙ軸方向と、それぞれ同方向である。
エンタテインメント装置１の背面部２Ｅは、アッパーケース２１の背面部２１Ｅおよびロアーケース２２の背面部２２Ｅから構成されている。
この背面部２Ｅには、略中央から側面部２Ｄ側（Ｘ軸方向とは反対側）の端部に向かって、かつ、アッパーケース２１およびロアーケース２２の背面部２１Ｅ，２２Ｅにかけて、５つの開口部２Ｅ１，２Ｅ２，２Ｅ３，２Ｅ４，２Ｅ５が形成されている。これら開口部２Ｅ１〜２Ｅ５には、それぞれ装置本体に接続された外部機器接続用端子４４〜４６、出力端子４７および電源コード接続端子４８が露出している。
【００３３】
具体的には、開口部２Ｅ１に露出する外部機器接続用端子４４は、ＩＴＵ−Ｔ  Ｖ．９０およびＫ５６Ｆｌｅｘ規格に準拠したものであり、電話回線に接続されるモジュラージャックが接続可能とされている。
開口部２Ｅ２に露出する外部機器接続用端子４５は、ＩＥＥＥ８０２．３ｉに準拠したものであり、１０Ｂａｓｅ−Ｔおよび１００Ｂａｓｅ−ＴＸ等のＬＡＮ（Local Area Network）ケーブルが接続可能とされている。
開口部２Ｅ３に露出する外部機器接続用端子４６は、ＩｒＤＡ（Infrared Data Association）規格に準拠した光通信用端子である。
開口部２Ｅ４に露出する出力端子４７は、映像および音声を出力する端子であり、この出力端子４７には、一端側に映像用の１本の端子および音声用の２本の端子が設けられた同軸ケーブルの他端側が接続可能とされている。
開口部２Ｅ５に露出する電源コード接続端子４８は、図示しないＡＣアダプタを介して、外部から電力を供給するためのものである。
【００３４】
また、ロアーケース２２の背面部２２Ｅにおける図５のＸ軸方向先端側には、スリット状の開口部２２Ｅ１が形成されている。この開口部２２Ｅ１は、正面部２２Ｂの開口部２２Ｂ３から吸気され、装置本体の構成部品を冷却した空気が排出される開口である。なお、この開口部２２Ｅ１の内側には、前述の開口部２２Ｂ３と同様に、防塵用のフィルタが設けられている。
【００３５】
〔５．側面部の構成〕
図６には、エンタテインメント装置１の筐体２のＸ軸方向先端側の側面である側面部２Ｃが示されている。なお、図６において示すＹ軸、Ｚ軸方向は、図２および図３で示したＹ軸、Ｚ軸方向と、それぞれ同方向である。
側面部２Ｃは、アッパーケース２１の側面部２１Ｃおよびロアーケース２２の側面部２２Ｃから構成されている。
このうち、アッパーケース２１の側面部２１Ｃには、正面部２１Ｂから連続してリブ２１Ｂ１１，２１Ｂ１２，２１Ｂ１３および凹部２１Ｂ２１，２１Ｂ２２が形成されている。また、ロアーケース２２の側面部２２Ｃは、平坦に形成されている。
【００３６】
図７には、エンタテインメント装置１の筐体２のＸ軸方向基端側の側面である側面部２Ｄが示されている。また、図８には、側面部２Ｄを底面としてエンタテインメント装置１を縦置き状態にした場合に、該エンタテインメント装置１を支持するスタンド５が示されている。さらに、図９には、スタンド５を取り付けた筐体２の断面図が示されており、図１０には、図９の部分拡大図が示されている。なお、図７、図９および図１０において示すＸ軸、Ｙ軸、Ｚ軸方向は、図２〜図６において示したＸ軸、Ｙ軸、Ｚ軸方向と、それぞれ同方向である。
側面部２Ｄは、アッパーケース２１の側面部２１Ｄと、ロアーケース２２の側面部２２Ｄとから構成されている。この側面部２Ｄには、側面部２１Ｄ，２２Ｄに跨るように、略中央部分に、スタンド取付部としてのねじ孔２Ｄ１が形成されている。このねじ孔２Ｄ１には、図８〜図１０に示すように、側面部２Ｄに当接されるスタンド５を固定するねじ６が螺合する。
【００３７】
スタンド５は、図８に示すように、平面視略円形状を有し、接地される面とは反対側の上面５Ａには、該上面５Ａの中央を中心として同心円状で、かつ、径を異にする２つの円筒部５１，５２と、該上面５Ａの所定の直径方向に対して、平行に形成された一対の突出部５３とを備えている。
円筒部５１は、上面５Ａから面外方向に起立して形成されている。この円筒部５１の内側には、該円筒部５１より直径方向の寸法が小さい円筒部５２が形成されている。これら円筒部５１，５２の上面には、図９および図１０に示すように、縦置き状態の筐体２の側面部２Ｄが載置される。この円筒部５１，５２の一端側は、図１０に示すように、中心に向かうにしたがって高さ方向（図１０におけるＸ軸方向）の寸法が小さくなるように傾斜して形成されている。これは，ロアーケース２２を射出成形等により形成する際に、側面部２２Ｄが傾斜して形成されてしまうのを補うためであり、この傾斜が、ロアーケース２２の側面部２２Ｄの傾斜に合わせて形成されていることにより、スタンド５に側面部２Ｄを載置して、筐体２を縦置き状態とした場合に、筐体２が水平となって安定する。
【００３８】
円筒部５２の中心は、スタンド５を貫通する孔５２Ａが形成されており、この孔５２Ａに前述のねじ６が該スタンド５の下方から、側面部２Ｄのねじ孔２Ｄ１に向かって挿通する。この孔５２Ａの内側には、該孔５２Ａの中心に向かって突出した突出部５２Ｂが形成されており、この突出部５２Ｂには、スタンド５の孔５２Ａを介して、下方からねじ孔２Ｄ１に挿通されるねじ６の頭部６１（図９参照）が当接し、ねじ６の行き過ぎを防いでいる。
【００３９】
一対の突出部５３は、円筒部５１，５２の高さ方向（Ｘ軸方向）の寸法が変化する境界と、該円筒部５１，５２とを結ぶ直径方向に平行に、上面５Ａから面外方向に突出して形成されている。この一対の突出部５３の互いに向き合う面のうち、一方の面には、筐体２の上面部２Ａが当接され、他方の面には、筐体２の底面部２Ｆに当接される。このような突出部５３により、筐体２の姿勢を維持できる。また、突出部５３が形成されたスタンド５の方向を、縦置き状態の筐体２の正面部２Ｂまたは背面部２Ｅと規定しておくことにより、スタンド５における筐体２の向きを使用者に認識させることができる。
【００４０】
このようなスタンド５を筐体２に取り付けるねじ孔２Ｄ１を設け、該スタンド５を筐体２に取り付けることにより、エンタテインメント装置１の縦置きが可能となる。これによれば、エンタテインメント装置１の設置場所に応じて、横置き状態および縦置き状態のいずれかを選択することができ、エンタテインメント装置１の配置の自由度を向上することができる。
また、ねじ孔２Ｄ１を筐体２の側面部２Ｄに設けたことにより、蓋部２１Ａ１は、縦置き状態のエンタテインメント装置１の上方に位置することとなる。これによれば、蓋部２１Ａ１の開閉操作を行いやすくすることができ、かつ、光ディスクＤの収納および取り出し操作を容易に行うことができる。
【００４１】
〔６．底面部の構成〕
図１１には、エンタテインメント装置１の筐体２のＹ軸方向基端側の側面である底面部２Ｆが示されている。なお、図１１において示すＸ軸、Ｚ軸方向は、図２および図３で示したＸ軸、Ｚ軸方向と、それぞれ同方向である。
筐体２の底面部２Ｆは、図１１に示すように、ロアーケース２２の底面部２２Ｆにより構成されている。この底面部２Ｆには、ゴム等によって形成された滑り止め部材２２Ｆ１が８箇所に配置されている。詳述すると、滑り止め部材２２Ｆ１は、略矩形の底面部２２Ｆの四隅部分、正面部２Ｂ側（Ｚ軸方向先端側）の略中央部分、背面部２Ｅ側（Ｚ軸方向基端側）の略中央部分、側面部２Ｃ側（Ｘ軸方向先端側）の正面部２Ｂ寄りの部分、および、側面部２Ｄ側（Ｘ軸方向基端側）の正面部２Ｂ寄りの部分に設けられている。これにより、エンタテインメント装置１を横置き状態で安定して設置することができる。
【００４２】
〔７．収納部の構成〕
図１２には、収納凹部３が示されている。すわなち、図１２には、蓋部２１Ａ１を取り外した上面部２Ａの平面図が示されている。なお、図１２において示すＸ軸、Ｚ軸方向は、図２および図３で示したＸ軸、Ｚ軸方向と、それぞれ同方向である。
収納凹部３は、前述のように、光ディスクＤが収納される部分であり、アッパーケース２１の上面部２１Ａに断面略凹状に形成されている。この収納凹部３は、図１２に示すように、円形状の光ディスクＤが収納されるディスク収納部３１と、このディスク収納部３１の底面に突設され、該ディスク収納部３１に収納された光ディスクＤを囲む凸状部３２とから構成されている。この凸状部３２は、収納凹部３に一体的に形成されている。
ディスク収納部３１の中央には、光ディスクＤが回転自在に装着されるチャッキング部材４Ａが設けられており、このチャッキング部材４Ａは、図示しない駆動手段としてのスピンドルモータに回転自在に軸支されている。また、スピンドルモータの駆動により回転する光ディスクＤからのゲームプログラム、映像情報および音声情報を読み取り、かつ、該光ディスクＤに情報を記録する情報読取／書込手段としてのピックアップ部４Ｂが設けられている。このピックアップ部４Ｂは、ディスク収納部３１のディスクが収納される領域に、該光ディスクＤの半径方向に進退自在に設けられている。
【００４３】
凸状部３２は、ディスク収納部３１とは深さ寸法を異にして形成されている。すなわち、凸状部３２は、ディスク収納部３１に比べ、浅く形成されている。また、この凸状部３２は、光ディスクＤの収納方向からみて、矩形（ここでは正方形）の各辺の中央部分を光ディスクＤの形状に合わせて円形状に膨出させた形状を有している。具体的には、矩形（正方形）の各辺の長さ寸法は、ディスク収納部３１に収納される光ディスクの直径より小さく、かつ、対角線の長さが光ディスクの直径より大きい寸法とされている。このため、ディスク収納部３１は、凸状部３２により、矩形（正方形）と円形とを重ね合わせた収納空間とされている。
【００４４】
この凸状部３２の光ディスクＤ端面に対向する面３２Ａは、ディスク収納部３１の底面から面外方向に向かうにしたがって、ディスク収納部３１の中央から遠ざかるように、傾斜して形成されている。これにより、ディスク収納部３１に光ディスクＤを収納する際に、この傾斜した面３２Ａが、該光ディスクＤをディスク収納部３１の中央に案内するので、光ディスクＤのディスク収納部３１への収納を容易に行うことができる。
また、凸状部３２の正面部２１Ｂ側の端部には、２箇所の開口部３２Ｂが形成されている。この開口部３２Ｂの下方には、前述の係止部材が設けられており、この開口部３２Ｂを介して、蓋部２１Ａ１に形成された突起２１Ａ１１が該係止部材と係合する。
【００４５】
このような収納凹部３では、ディスク収納部３１から光ディスクＤを取り出す際には、ディスク収納部３１の四隅部分から該光ディスクＤの端面に指をかけ、該端面近傍を持ち上げるようにして該光ディスクＤを取り出すことができる。従って、光ディスクＤの取り出しを容易にすることができる。また、光ディスクＤの端面には、ディスク収納部３１の四隅部分から指をかけることができるので、従来のディスク装置に比べて、該端面に指をかけることができる領域を広げることができる。さらに、この収納凹部３は、凸状部３２によりディスク収納部３１を矩形と円形とを組み合わせた形状として構成されているので、アッパーケース２１のスペースを効果的に活用することができる。
【００４６】
〔８．内部構成〕
装置本体は、詳しい図示を省略するが、メインボード、入出力制御基板、およびこれらに電力を供給する電源ユニットを備え、これらが前述の筐体２内に収納されている。
このうち、メインボードは、ＣＰＵ（Central Processing Unit）およびその周辺装置からなる制御系と、描画を行う画像処理装置等からなるグラフィックシステムと、音楽、効果音を出力する音声処理装置等からなるサウンドシステムとを備えている。
【００４７】
制御系は、ＣＰＵと、割込制御やダイレクトメモリアクセス転送の制御等を行う周辺装置制御部と、ＲＡＭ（Random Access Memory）からなるメインメモリと、グラフィックシステム、サウンドシステム等の管理を行うオペレーティングシステム等のプログラムが格納されたＲＯＭ（Read Only Memory）とを備えている。
ＣＰＵは、ＲＯＭに記憶されているオペレーティングシステムを実行することにより、エンタテインメント装置１全体を制御するものであり、例えば、１２８ビットのＲＩＳＣ（Reduced Instruction  Set Computer）−ＣＰＵからなる。
【００４８】
グラフィックシステムは、ＣＰＵからの描画指示に従って描画を行う画像処理装置と、この画像処理装置により描画された画像を記憶するフレームバッファとを備えている。画像処理装置は、ＣＰＵからの描画命令にしたがって、フレームバッファに対してポリゴン等の描画を行う。この画像処理装置は、１秒間に最大７５００万程度のポリゴンの描画を行うことができる。
サウンドシステムは、ＣＰＵからの指示に基づいて、ＢＧＭ(Back Ground Music)、効果音等を出力する音声処理装置と、この音声処理装置で生成された波形データ等が記録されるサウンドバッファとを備えている。
【００４９】
入出力基板は、アプリケーションプログラムが記録されている光ディスクＤの制御を行う光ディスク制御部と、ユーザからの指示が入力されるコントローラ７からの信号や、コントローラ７に出力される信号、およびカードスロット２１Ｂ３に装着されたメモリーカード８に記録されたデータの入出力等を制御する通信制御部とを備えている。
【００５０】
光ディスク制御部は、例えば、エラー訂正符号（Error Correction Code）が付加されて記録されているプログラムやデータ等を複合するデコーダと、光ディスクＤからのデータを一時的に記憶することにより、光ディスクからのデータの読み出しを高速化するバッファとを備えている。
通信制御部は、コントローラ接続部２２Ｂ１に露出するコントローラコネクタ４１（図４参照）、および、カードスロット２１Ｂ３（図４参照）が内部に設けられ、メモリーカード８に接続される図示しないカード接続端子と電気的に接続され、これにより、使用者がコントローラ７を操作すると、コントローラ７からの信号や、コントローラ７に出力される信号、およびメモリーカード８の記録域へのデータの入出力等の制御が行われる。また、この通信制御部には、コントローラ７の他、外部機器接続用端子４２，４４〜４６、受光部４３、出力端子４７等とも電気的に接続され、外部機器との信号入出力制御も行うように構成されている。
【００５１】
〔９．中継器の構成〕
図１３には、エンタテインメント装置１に接続される中継器９が示されている。また、図１４には、中継器９の斜視図が示されている。なお、図１３および図１４において示すＸ軸、Ｙ軸、Ｚ軸方向は、図２および図３において示したＸ軸、Ｙ軸、Ｚ軸方向と、それぞれ同方向である。
前述のエンタテインメント装置１は、図１３に示すように、複数のカードスロット９１Ａ３およびコントローラ接続部９１Ｂ１を備えた中継器９が、筐体２の正面部２Ｂに形成されたカードスロット２１Ｂ３、および、該正面部２Ｂに形成されたコントローラ接続部２２Ｂ１に露出するコントローラコネクタ４１に接続可能である。この中継器９は、図１３および図１４に示すように、中継器本体９１、ケーブル９２、および接続端子９３を備えている。
【００５２】
中継器本体９１には、図１４に示すように、略直方体形状に形成されている。この中継器本体９１は、前述のエンタテインメント装置１の筐体２と同様に、中継器９の制御を行う図示しない制御基板と、この制御基板の上方（Ｙ軸方向とは反対側）を覆うアッパーケース９１Ａと、下方（Ｙ軸方向）を覆うロアーケース９１Ｂとを備えて構成されている。なお、これらアッパーケース９１Ａおよびロアーケース９１Ｂは、エンタテインメント装置１の筐体２と同じ合成樹脂により形成されているが、別の素材で形成してもよい。
【００５３】
アッパーケース９１Ａの上面から垂下する４つの側面のうち、３面には、前述のリブ２１Ｂ１と同様のリブ９１Ａ１が形成されている。詳述すると、このリブ９１Ａ１は、アッパーケース２１の略長方形状の上面から略垂下する４つの側面のうち、長手方向に沿って形成された２つの側面と、これら２つの側面に挟まれる一方の側面とに連続して形成されている。なお、これらリブ９１Ａ１が形成されたアッパーケース９１Ａの側面は、ロアーケース９１Ｂより延出して形成されている。
アッパーケース９１Ａの長手方向の２つの側面には、それぞれ２つのカードスロット９１Ａ３が形成され、それぞれのカードスロット９１Ａ３にメモリーカード８を装着することができる。すなわち、中継器本体９１には、合計４つのカードスロット９１Ａ３が形成されている。これらカードスロット９１Ａ３は、前述のカードスロット２１Ｂ３と略同様に構成され、リブ２１Ｂ１に対するカードスロット２１Ｂ３の位置と同様の位置に、それぞれ形成されている。なお、これらカードスロット９１Ａ３には、蓋部２１Ｂ４と略同様の蓋部９１Ａ４が設けられており、メモリーカード８が装着されていない場合では、蓋部９１Ａ４により、カードスロット９１Ａ３は閉塞されている。
【００５４】
ロアーケース９１Ｂには、コントローラ接続部２２Ｂ１と同様のコントローラ接続部９１Ｂ１が並列して形成されている。詳述すると、ロアーケース９１Ｂの底面から起立する側面のうち、長手方向の２つの側面には、それぞれ２つのコントローラ接続部９１Ｂ１が、アッパーケース９１Ａに形成されたカードスロット９１Ａ３に対応する位置に形成されている。これらそれぞれのコントローラ接続部９１Ｂ１には、コントローラコネクタ９１Ｃが露出しており、それぞれのコントローラコネクタ９１Ｃには、前述のコントローラ７が接続可能である。
【００５５】
これらカードスロット９１Ａ３の内部に設けられたカード接続部、および、コントローラ接続部９１２に露出したコントローラコネクタ９１Ｃは、中継器本体９１内部に設けられた図示しない制御基板に接続されている。この制御基板は、各カードスロット９１Ａ３に装着されカード接続部に接続されたメモリーカード８、および、コントローラコネクタ９１Ｃに接続されたコントローラ７と、エンタテインメント装置１との通信の制御を行っている。
【００５６】
中継器本体９１のリブ９１Ａ１が形成されていない側面には、ケーブル９２が面外方向に延出するように設けられている。ケーブル９２は、中継器本体９１の制御基板と電気的に接続されており、このケーブル９２の先端には、エンタテインメント装置１に接続される接続端子９３が設けられている。
なお、中継器本体９１のケーブル９２が延出する端部には、該ケーブル９２の周囲を覆うように、ゴム等により形成された緩衝部材９１Ｄが設けられている。この緩衝部材９１Ｄは、中継器本体９１端部におけるケーブル９２の折れ曲がりを防止するためのものである。
【００５７】
図１５には、接続端子９３の側面図が示されている。なお、図１５において示すＹ軸、Ｚ軸方向は、図２および図３において示したＹ軸、Ｚ軸方向と、それぞれ同方向である。  接続端子９３は、側面視略Ｃ字状に形成されており、エンタテインメント装置１のカードスロット２１Ｂ３に挿入されるメモリ通信用端子９３１と、このメモリ通信用端子９３１が挿入されるカードスロット２１Ｂ３の直下に形成されたコントローラ接続部２２Ｂ１に挿入されるコントローラ通信用端子９３２と、これらを収納して一体化する収納ケース９３３とを備えている。
【００５８】
メモリ通信用端子９３１は、カードスロット２１Ｂ３内部に設けられた図示しないカード接続部に接続される。このメモリ通信用端子９３１は、コントローラ通信用端子９３２よりも延出して形成されている。メモリ通信用端子９３１の挿入方向先端側端部には、詳しい図示を省略するが、ケーブル９２内の信号線に接続されている信号線コネクタが設けられ、該ケーブル９２を介して、中継器本体９１の制御基板と電気的に接続されている。
【００５９】
コントローラ通信用端子９３２は、メモリ通信用端子９３１が挿入されるカードスロット２１Ｂ３に対応する位置に設けられたロアーケース２２のコントローラ接続部２２Ｂ１に挿入され、該コントローラ接続部２２Ｂ１に露出するコントローラコネクタ４１（図４参照）に接続される。このコントローラ通信用端子９３２は、詳しい図示を略すが、複数のプラグピンを備え、各プラグピンは、ケーブル９２内の信号線を介して中継器本体９１の制御基板と電気的に接続されている。
【００６０】
収納ケース９３３は、合成樹脂製のケースであり、断面略Ｃ字状に形成されている。この収納ケース９３３のコントローラ通信用端子９３２側の端部には、該コントローラ通信用端子９３２の延出方向に突出し、コントローラ通信用端子９３２の基端部分の周囲を覆う突出部９３３１が設けられている。この突出部９３３１は、エンタテインメント装置１を構成するアッパーケース２１の正面部２１Ｂとロアーケース２２の正面部２２Ｂとの段差を補うように構成されている。これにより、エンタテインメント装置１の正面部２Ｂに形成されたカードスロット２１Ｂ３およびコントローラ接続部２２Ｂ１に、接続端子９３を安定して接続することができる。
また、突出部９３３１の先端には、位置決め用の図示しない突起が形成されており、コントローラ通信用端子９３２が挿入されるコントローラ接続部２２Ｂ１には、突起に対応する位置に、図示しない凹部が形成されている。これにより、接続端子９３をエンタテインメント装置１に接続する際に、接続を容易に行うことができる。なお、これら突起および凹部は、逆に形成してもよい。すなわち、突出部９３３１側に凹部を形成し、エンタテインメント装置１のコントローラ接続部２２Ｂ１に突起を設けてもよい。
【００６１】
また、収納ケース９３３の両側面（図１４におけるＸ軸方向両側面）には、Ｙ軸方向に沿って切り欠かれた凹部９３３２がそれぞれ３箇所ずつ形成されている。これら凹部９３３２は、接続端子９３をカードスロット２１Ｂ３およびコントローラ接続部２２Ｂ１から取り外す際に、接続端子９３をつかみやすくするための部分である。
【００６２】
このような中継器９をエンタテインメント装置１に取り付けることにより、より多くのコントローラ７およびメモリーカード８を接続することができるため、より多くの人数でゲームを行うことができ、また、より多くのデータをメモリーカード８に記録することができる。
【００６３】
〔１０．実施形態の効果〕
以上のような本実施形態によれば、次のような効果がある。
(10-1)光ディスクＤが収納されるディスク収納部３１を円形と矩形とを組み合わせた形状とされている。これによれば、ディスク収納部３１の四隅部分に位置する光ディスクＤの端部を持ち上げるようにして、該光ディスクＤを取り出すことができる。従って、光ディスクＤの端部に指等をかけることのできるディスク収納部３１の領域が拡大できるので、光ディスクＤの取り出しを容易にすることができるとともに、光ディスクＤの取り出し時の自由度を向上することができる。
また、ディスク収納部３１の矩形状部分の各辺は、該ディスク収納部３１に収納される光ディスクＤの直径よりも小さいとされているので、ディスク収納部３１を不要に大きく形成する必要をなくすことができる。
【００６４】
とくに、ディスク収納部３１の四隅部分は、角隅部からディスクの外周縁へ向かうに従って幅寸法が次第に広がる略三角形状に形成されているから、指を差し込みやすく、かつ、その指を角隅部の底面に沿ってディスク外周面に向かって進ませれば、指をディスク外周端面に直接当てることができる。従って、ディスクの記録面に指が触れることなく、ディスクを取り出すことができる。
【００６５】
(10-2)凸状部３２の光ディスクＤ端面に対向する面３２Ａは、ディスク収納部３１の底面から面外方向に向かうにしたがって、ディスク収納部３１の中央から遠ざかるように傾斜して形成されている。これによれば、面３２Ａが、光ディスクＤを収納する際の案内面となるので、光ディスクＤのディスク収納部３１への収納を容易に行うことができる。加えて、ディスクＤを取り出す際において、指をディスク収納部３１の角隅部に差し込み、角隅部の底面に沿って進ませる際にも、凸状部３２の面３２Ａが傾斜して形成されているから、指を差し込みやすいうえ、指をディスク外周面に向かって滑らせる際にも障害にならず円滑に滑らせることができる。
【００６６】
(10-3)筐体２の側面部２Ｄにねじ孔２Ｄ１を形成したことにより、この側面部２Ｄに、スタンド５を取り付けることができるので、エンタテインメント装置１の縦置きが可能となる。これによれば、設置場所に合わせて横置きおよび縦置きの配置姿勢を選択することができるので、エンタテインメント装置１の配置の自由度を向上することができる。
また、縦置き状態では、スタンド５によって、縦置きの姿勢が支持されるので、エンタテインメント装置１を安定して縦置き状態に維持することができる。
さらに、エンタテインメント装置１が縦置きの場合では、蓋部２１Ａ１によって閉塞される収納凹部３は、上方に位置することとなるので、蓋部２１Ａ１の開閉および光ディスクＤの収納／取出し操作を容易に行うことができる。
【００６７】
(10-4)アッパーケース２１の平坦部２１Ａ２と、蓋部２１Ａ１との間には、別部材としての仕切部材２１Ａ３が設けられていることにより、蓋部２１Ａ１および平坦部２１Ａ２のそれぞれの上面は連続していない。これによれば、アッパーケース２１に取り付けられ、矢印Ａ方向に回動する蓋部２１Ａ１の上面と、平坦部２１Ａ２の上面との製造上の形成位置の誤差を目立たなくすることができる。すなわち、このような製造上の誤差が生じた場合には、誤差によって生じる段差が使用者等に認識され、筐体の美観を損ねる要因となっていた。これに対し、蓋部２１Ａ１と、平坦部２１Ａ２との間に仕切部材を設け、これらを隔離したことによって、このような段差を使用者等に認識しづらくすることができる。従って、筐体２の外観を良好なものとすることができる。
【００６８】
(10-5)アッパーケース２１の正面部２１Ｂおよび側面部２１Ｃには、３本のリブ２１Ｂ１１，２１Ｂ１２，２１Ｂ１３が形成されている。このうち、リブ２１Ｂ１３は、アッパーケース２１に取り付けられた蓋部２１Ａ１と、アッパーケース２１の平坦部２１Ａ２と、仕切部材２１Ａ３のＺ軸方向先端部分が延出することで形成されている。これによれば、アッパーケース２１の正面部２１Ｂの外観を良好とするとともに、アッパーケース２１のＹ軸方向の寸法を小さくすることができる。
【００６９】
(10-6)中央に設けられたリブ２１Ｂ１２には、該リブ２１Ｂ１２と一体化するように、蓋部開放スイッチ２１Ｂ５および電源スイッチ２１Ｂ６が設けられている。このようなスイッチは、従来では、スイッチが設けられる面から面外方向に突出して配置されることが多く、このため、スイッチが不意に入力されてしまうという場合があった。また、スイッチが突出していない場合でも、開口にスイッチが露出するなどしていたため、外観を損なうという問題があった。これに対し、蓋部開放スイッチ２１Ｂ５および電源スイッチ２１Ｂ６は、リブ２１Ｂ１２と一体感を持って配置されているため、これらスイッチ２１Ｂ５および２１Ｂ６を目立たなくして、筐体２のデザイン性を向上することができるとともに、これらスイッチ２１Ｂ５，２１Ｂ６が誤って入力されることを防ぐことができる。
【００７０】
(10-7)エンタテインメント装置１の縦置き状態を支持するスタンド５の円筒部５１，５２は、ロアーケース２２の側面部２２Ｄの傾斜に沿って、一端が傾斜して形成されている。これによれば、エンタテインメント装置１の縦置き状態を安定して支持することができる。すなわち、ロアーケース２２のような箱型形状の筐体を、射出成形等によって形成する場合には、成形型からの筐体の取り外しが困難となるため、底面端部から垂直に面を形成することは難しく、このような面は傾斜して形成されてしまう場合がある。このため、この傾斜して形成された面を底面として縦置き状態とすると、縦置き状態が安定しないという問題がある。これと同様に、傾斜して形成されたロアーケース２２の側面部２２Ｄに合わせて、スタンド５の円筒部５１，５２が傾斜して形成されているので、該スタンド５は、縦置き状態のエンタテインメント装置１を安定して支持することができる。
【００７１】
(10-8)エンタテインメント装置１に接続される中継器９は、アッパーケース９１Ａに、アッパーケース２１と同様に、リブ９１Ａ１が形成されている。これによれば、エンタテインメント装置１との外観の調和を図ることができる。
【００７２】
〔１１．実施形態の変形〕
本発明は前述の実施形態に限定されるものではなく、本発明の目的を達成できる範囲での変形、改良等は本発明に含まれるものである。
(11-1)収納部の構成について
収納部の構成については、前記実施形態で説明した図３および図１２の構成に限らず、図１６および図１７に示す構成でもよい。図１６には、蓋部を開放したエンタテイメント装置１が、図１７には、収納凹部３の平面が示されている。なお、これらの図の説明にあたって、前記実施形態と同一構成要件については、同一符号を付し、その説明を省略もしくは簡略化する。
これら図１６，１７に示すエンタテイメント装置１の収納部構成は、上述した実施形態の収納部構成に対して、収納凹部３の構成が異なり、また、光ディスクＤがピックアップ部４Ｂ方向へ一定量以上傾くのを規制する光ディスク傾き規制部３３が付加されている点が異なる。
【００７３】
図１６，１７に示す収納凹部３は、前記実施形態と同様に、ディスク収納部３１と、凸状部３２とから構成される。凸状部３２の形状も、前記実施形態と同様に、矩形（正方形）と円形とを組み合わせた形状で、矩形（正方形）の各辺の長さ寸法が、ディスク収納部３１に収納される光ディスクの直径より小さく、かつ、対角線の長さが光ディスクの直径より大きい寸法とされているが、凸状部３２が形成する矩形状の四隅のうち、少なくとも１つの角隅部底面がディスク収納部３１の底面より深く形成されている。
【００７４】
ここでは、凸状部３２が形成する矩形状の四隅のうち、蓋部２１Ａ１が回動自在に軸支された端部とは反対側（筐体２の正面部２Ｂ側）に位置する２つの角隅部底面には、底面がディスク収納部３１の底面より深い凹部３１Ａ，３１Ｂが形成されている。これらの凹部３１Ａ，３１Ｂは、凸状部３２の面３２Ａのうち、角隅部を構成する直交２壁面３１Ａ１，３１Ｂ１と略半円形状の円弧壁面３１Ａ２，３１Ｂ２を有する形状に形成され、少なくとも円弧壁面３１Ａ２，３１Ｂ２の一部がディスク収納部３１に収納される光ディスクの端面から内部に入り込む大きさに形成されている。また、これら凹部３１Ａ，３１Ｂの深さは、図１８に示すように、凹部３１Ａの深さに対して凹部３１Ｂの深さが深く形成されているが、これらは同じでもよい。
【００７５】
このような構成によれば、凸状部３２が形成する矩形状の四隅のうち、２つの角隅部底面にディスク収納部３１の底面より深い凹部３１Ａ，３１Ｂが形成されているから、ディスク収納部３１に収納された光ディスクの底面と凹部３１Ａ，３１Ｂの底面との間に段差が形成される。そのため、ディスク収納部３１に収納されたディスクを取り出す場合に、矩形状の四隅部分から指を差し入れ、その指の先端部分をディスク端面からディスクの底面側に差し込むことができるから、ディスクを持ち上げやすい。つまり、ディスクの取出操作をより容易に行うことができる。
【００７６】
とくに、２つの凹部３１Ａ，３１Ｂは、凸状部３２が形成する矩形状の四隅のうち、蓋部２１Ａ１の回動軸支側とは反対側に位置する２つの角隅部底面に形成されているから、この２つの角隅部のいずれからもディスクの取出操作を行うことができる。つまり、蓋部２１Ａ１の回動軸支側とは反対側を正面とすると、左右どちらからでも、ディスクの取出操作を行うことができるから、使い勝手に優れる。
【００７７】
また、２つの凹部３１Ａ，３１Ｂは、凸状部３２の面３２Ａのうち、角隅部を構成する直交２壁面３１Ａ１，３１Ｂ１と略半円形状の円弧壁面３１Ａ２，３１Ｂ２を有する形状に形成され、少なくとも円弧壁面３１Ａ２，３１Ｂ２の一部がディスク収納部３１に収納される光ディスクの端面から内部に入り込む大きさに形成されているから、直径が小さい光ディスクのものでも、容易に取り出しできる。つまり、ディスク収納部３１の円弧に沿った直径の光ディスクを基準として、その光ディスクの記録領域半径寸法の約１／２まで入り込む大きさに、凹部３１Ａ，３１Ｂが形成されているから、直径が小さい光ディスクでも、容易に取り出しできる。なお、凹部３１Ａ，３１Ｂの大きさについては、チャッキング部材４Ａの近傍まで達する大きさ、形状でもよい。
【００７８】
また、前記実施形態および変形例では、凸状部３２によって形成される空間、つまり、ディスク収納部３１は、光ディスクＤの収納方向からみて、矩形（正方形）の各辺の長さ寸法がディスク収納部３１に収納される光ディスクの直径より小さく、かつ、対角線の長さが光ディスクの直径より大きい寸法とされ、各辺の中央部分を光ディスクＤの形状に合わせて円形状に膨出させた形状を有していたが、これに限られない。
例えば、円形状と、一辺がディスクＤの直径と略同じでそれと隣り合う辺がディスクＤの直径より小さい長方形状との組み合わせでもよい。このような組み合わせにすれば、凸状部によって形成されるディスクを囲む空間は、ディスクの外形輪郭との間に２つの角隅部を有する形状となる。このとき、２つ角隅部を蓋部２１Ａ１が回動自在に軸支された端部とは反対側、つまり、筐体の正面部よりに設ければ、より操作性に優れる。
【００７９】
更に、円形状と矩形状との組み合わせに限らず、円形状と、三角形以上の多角形状との組み合わせでもよい。つまり、円形状の輪郭の一部と多角形状の輪郭の一部との組み合わせによって、凸状部３２によって形成されるディスクを囲む空間が構成されていてもよい。この場合、ディスクの外形輪郭との間に、多角形状の１つの角隅部、好ましくは、少なくとも２つ以上の角隅部を有する形状が望ましい。２つの角隅部を有する形状の場合、蓋部２１Ａ１の回動軸支側とは反対側（筐体の正面部より）に２つの角隅部が位置することが好まし。
【００８０】
光ディスク傾き規制部３３は、凸状部３２を構成する部材とは別部材によって構成され、かつ、ピックアップ部４Ｂが進退する光ディスクＤの半径方向外側位置（光ディスクの外周縁と対向する位置）に配置されている。光ディスク傾き規制部３３の上面、つまり、光ディスクＤと当接する面は、ディスク収納部３１の底面より高くなるように配置されている。また、図１９に示すように、チャッキング部材４Ａに装着された光ディスクＤの下面からピックアップ部４Ｂまでの寸法に対して、光ディスクＤの下面から光ディスク傾き規制部３３の上面までの寸法が小さくなるように設定されている。つまり、光ディスクＤの下面とピックアップ部４Ｂとの隙間よりも、光ディスクＤの下面から光ディスク傾き規制部３３の上面までの隙間が小さくなるように、光ディスク傾き規制部３３の高さ位置が設定されている。
【００８１】
このような構成によれば、筐体２が縦置き姿勢で設置された状態において、チャッキング部材４Ａに装着された光ディスクＤが高速回転されたとき、光ディスクＤがピックアップ部４Ｂ側に傾いても、光ディスクＤがピックアップ部４Ｂに接触する前に、光ディスク傾き規制部３３に接触するので、光ディスクＤの接触によるピックアップ部４Ｂの損傷を未然に防止することができる。しかも、光ディスク傾き規制部３３を、ピックアップ部４Ｂが進退する光ディスクＤの半径方向外側位置に配置するだけでよいから、簡単かつ経済的に構成することができる。
【００８２】
また、前記実施形態では、収納凹部３に形成された凸状部３２の光ディスクＤ端面に対向する面３２Ａは、傾斜して形成されるとしたが、本発明はこれに限らず、傾斜せず、ディスク収納部３１底面から垂直に起立していてもよい。なお、面３２Ａを傾斜して形成することにより、光ディスクＤをディスク収納部３１に収納する際に、面３２Ａがディスク収納部３１への案内面となるので、光ディスクＤの収納を容易に行うことができる。
【００８３】
(11-2)スタンドについて
前記実施形態では、スタンド５に形成された円筒部５１，５２の上面を傾斜させるとしたが、ロアーケース２２のねじ孔２Ｄ１近傍に、エンタテインメント装置１の縦置き状態で、水平となる部分を形成し、この部分にスタンド５の円筒部が載置されるようにしてもよい。
【００８４】
図２０は、アッパーケース２１およびロアーケース２３によって構成される筐体２０と、スタンド５０とを示す断面図である。なお、図２０において示すＸ軸、Ｙ軸方向は、図２および図３で示したＸ軸、Ｙ軸方向と、それぞれ同方向である。
スタンド５０は、前述のスタンド５と略同じ構成を備え、スタンド５０の上面５０Ａの中央を中心として２つの径を異にする円筒部５０１，５０２と、突出部５０３とを備えている。これら円筒部５０１，５０２および突出部５０３は、それぞれ円筒部５１，５２および突出部５３と略同じ構成であるが、円筒部５０１，５０２の上面が水平に形成される点で異なっている。なお、円筒部５０２には、円筒部５２と同様に、孔５２Ａおよび突出部５２Ｂが形成されている。
また、ロアーケース２３は、前述のロアーケース２２と略同じ構成を有しているが、ロアーケース２３のねじ孔２Ｄ１近傍には、側面部２Ｄを底面として筐体２０を縦置き状態とした場合に水平となる水平部２３１が形成されている点で、ロアーケース２２と異なっている。
【００８５】
水平部２３１は、図２０におけるＹ軸方向の断面として見たときに、傾斜した側面部２２Ｄを斜辺とし、側面部２１ＤをＹ軸方向とは反対側に延出して描かれる直線を一辺とする略直角三角形状に形成され、図示を省略するが、側面部２２Ｄの長手方向に、ねじ孔２Ｄ１を挟んで２箇所形成されている。そして、これら水平部２３１は、互いに近接しない側の水平部２３１の端部間の寸法がスタンド５０の円筒部５０１の外径寸法と略一致するように形成されている。これら水平部２３１の端面には、スタンド５０の円筒部５０１，５０２の上面が当接される。これにより、スタンド５０に筐体２を設置した場合に、筐体２を備えて構成されるエンタテインメント装置１を水平に支持することができる。また、このような水平部２３１を設けたことにより、スタンド５０を取り付けなくても、側面部２Ｄを底面として、エンタテインメント装置１を縦置きに設置することができる。
なお、水平部２３１は、ねじ孔２Ｄ１を挟んで２箇所形成するとしたが、ねじ孔２Ｄ１を囲むように１箇所だけ形成するようにしてもよく、また、３箇所以上に形成してもよい。
【００８６】
また、前記実施形態では、スタンド５，５０を取り付けるためのスタンド取付部としてのねじ孔２Ｄ１を筐体２の側面部２Ｄに形成するとしたが、本発明はこれに限らない。例えば、側面部２Ｄに凹部を形成し、この凹部に対応する形状を有し、該凹部に嵌合される突出部をスタンドの上面に形成するような構成でもよい。
また、スタンド５，５０には、エンタテインメント装置１の側面部２Ｄが載置される部分を円筒部５１，５２，５０１，５０２として円筒状に形成したが、断面略矩形の筒状に形成してもよい。
【００８７】
更に、スタンドの構成については、前記実施形態で説明した図８，図９，図１０の構成、あるいは、図２０で説明した構成に限らず、図２１，図２２，図２３および図２４に示す構成でもよい。図２１には、スタンド５４が、図２２には、スタンド５４を取り付けるために筐体２に設けられたスタンド取付部２Ｄ２が、図２３には、筐体２およびスタンド５４の組立状態の断面が、図２４には、その組立状態の異なる断面がそれぞれ示されている。なお、これらの図の説明にあたって、前記実施形態と同一構成要件については、同一符号を付し、その説明を省略もしくは簡略化する。
【００８８】
スタンド５４は、図２１、２３，２４に示すように、円盤状の基板５４Ａと、この基板５３Ａの略中央に直線状に突出形成され筐体２の底面を支持する支持台部５４Ｂと、この支持台部５４Ｂに設けられた係合爪部５４Ｃと、基板５４Ａの底面から貫通してスタンド５４と筐体２とを一体化する締結具としてのねじ６とを含んで構成されている。
基板５４Ａは、金属によって円盤状に形成されたベース部材５４Ａ１と、このベース部材５４Ａ１の上面および外周面を覆う合成樹脂製の表層部材５４Ａ２とから構成されている。ベース部材５４Ａ１には、中心にねじ６を貫通させる貫通孔５４Ａ１１が形成されているとともに、底面（設置面）外周縁９０度間隔位置に滑り止め部材５４Ａ１２が貼設されている。
支持台部５４Ｂは、基板５４Ａの略中央に表層部材５４Ａ２と一体的に成形され細帯状の直線支持部５４Ｂ１と、この直線支持部５４Ｂ１の中央部に円環状に一体形成された円形支持部５４Ｂ２とを含んで構成されている。直線支持部５４Ｂ１の両端には支持突部５４Ｂ１１が形成され、この支持突部５４Ｂ１１の上端と円形支持部５４Ｂ２の上面とが同一高さに形成されている。従って、支持台部５４Ｂ上に筐体２を縦置き状態で設置すると、筐体２の底面（側面部２Ｄ）が円形支持部５４Ｂ２と直線支持部５４Ｂ１の支持突部５４Ｂ１１とで支持される。
係合爪部５４Ｃは、支持台部５４Ｂの円形支持部５４Ｂ２を挟んだ両側に上方へ突出して形成されている。
【００８９】
筐体２の底面（側面部２Ｄ）には、図２２に示すように、スタンド取付部２Ｄ２が形成されている。スタンド取付部２Ｄ２は、少なくとも２つの係合孔２Ｄ２１と、この間に１つの締結具挿入孔２Ｄ２２とを備えている。２つの係合孔２Ｄ２１には、スタンド５４の２つの係合爪部５４Ｃが挿入される。締結具挿入孔２Ｄ２２は、ねじ６が螺合されるねじ孔２Ｄ１によって構成されている。なお、ねじ６には、頭部６１とは反対側の軸部にストップリング２Ｄ２３が係合され、ねじ６が基板５４Ａの貫通孔５４Ａ１１から抜け落ちないようになっている。
【００９０】
この構成によれば、スタンド５４の支持台部５４Ｂ上に筐体２を縦置き状態で設置する。このとき、筐体２に設けられた２つの係合孔２Ｄ２１をスタンド５４の係合爪部５４Ｃに挿入・係合させる。すると、筐体２は、２つの係合孔２Ｄ２１と係合爪部５４Ｃとの係合により回動規制された状態に位置決めされる。この後、ねじ６を、基板５４Ａの底面から筐体２の締結具挿入孔２Ｄ２２に挿入螺合し、スタンド５４と筐体２とを一体化する。これにより、スタンド５４と筐体２とが一体化されると、筐体２は、スタンド５４の基板５４Ａにより転倒が防止される。
【００９１】
(11-3)設置姿勢について
前記実施形態では、エンタテインメント装置１は、横置きおよび縦置きのいずれの姿勢でも設置できるとしたが、どちらか一方の状態が可能であればよい。また、縦置き状態では、蓋部２１Ａ１が上方に位置するとしたが、下方に位置していてもよい。なお、横置きおよび縦置きのいずれの状態でも設置できるのであれば、設置場所に応じて設置姿勢を選択することができるので、エンタテインメント装置１の設置の自由度を向上できる。また、縦置き状態で、蓋部２１Ａ１が上方に位置するのであれば、蓋部２１Ａ１の開閉操作および光ディスクＤの収納／取出し操作を容易に行うことができる。
【００９２】
(11-4)表示装置について
前記実施形態では、本エンタテイメント装置１にテレビジョン受像機を電気的に接続し、エンタテイメント装置１の操作に応じた処理結果からの画像情報をテレビジョン受像機に出力し、そこに表示するようにしたが、本エンタテイメント装置１に表示装置を装着するように構成することも可能である。
例えば、図２５に示すように、筐体２の背面部２Ｅの両側に２つのねじ孔２Ｅ６，２Ｅ７を形成するとともに、底面部２Ｆの中央正面部寄りに凹部２Ｆ２を形成し、この２つのねじ孔２Ｅ６，２Ｅ７と凹部２Ｆ２とを利用して、表示装置を支持するアタッチメントを筐体２に一体的に取り付けるようにすることも可能である。
【００９３】
表示装置を支持するアタッチメント１００としては、例えば、図２６に示すように、筐体２の底面部２Ｆと略同じ大きさの矩形板状のプレート１０１と、このプレート１０１の前端縁中央から上方および前方へＬ字状に折曲形成され筐体２の凹部２Ｆ２に係合する係合片１０２と、プレート１０１の後端縁から上方に直角に起立された起立片１０３と、この起立片１０３の両側に形成されたボルト挿通孔１０４とを備えた構造でもよい。
この場合、筐体２の底面部にプレート１０１をあてがい、係合片１０２を筐体２の凹部２Ｆ２に挿入係合したのち、起立片１０３のボルト挿通孔１０４からボルト１０５を挿入して筐体２のねじ孔２Ｅ６，２Ｅ７に螺合すると、筐体２にアタッチメント１００が一体的に保持される。この状態において、起立片１０３の中央に表示装置、例えば、液晶表示装置１１０を取り付ければ、エンタテイメント装置１の操作に応じた画像情報を液晶表示装置１１０に表示させることができる。
【００９４】
(11-5)適用範囲について
前記実施形態では、エンタテインメント装置１は、光ディスクＤから情報の読み取りが可能なだけでなく、使用する光ディスクＤによっては、情報の記録も行えるとしたが、情報の読取および記録の少なくともいずれかが実行可能であればよい。
【００９５】
前記実施形態では、使用するディスクとして光ディスクを採用したが、磁気ディスクを採用してもよい。すなわち、円形状を有し、記録された情報の読取および／または情報の記録が可能なディスクであれば、ディスクの種類は問わない。
【産業上の利用可能性】
【００９６】
本発明は、ＣＤ、ＤＶＤ等の光ディスク、光磁気ディスク、磁気ディスク、レコード等のディスクに記録された情報を再生および／または該ディスクに情報を記録するディスク装置に利用することができる。
【図面の簡単な説明】
【００９７】
【図１】本発明の一実施形態に係るエンタテインメント装置を示す構成を示す図。
【図２】前記実施形態のエンタテインメント装置を示す斜視図。
【図３】図１の状態から蓋部を開放したエンタテインメント装置を示す斜視図。
【図４】前記実施形態のエンタテインメント装置を示す正面図。
【図５】前記実施形態のエンタテインメント装置を示す背面図。
【図６】前記実施形態のエンタテインメント装置を示す側面図。
【図７】前記実施形態のエンタテインメント装置を示す側面図。
【図８】前記実施形態のスタンドを示す斜視図。
【図９】前記実施形態の筐体およびスタンドを示す断面図。
【図１０】前記実施形態の筐体およびスタンドを示す図９の部分拡大図。
【図１１】前記実施形態のエンタテインメント装置を示す底面図。
【図１２】前記実施形態の収納凹部を示す平面図。
【図１３】前記実施形態のエンタテインメント装置と中継器とを示す概要斜視図。
【図１４】前記実施形態の中継器を示す斜視図。
【図１５】前記実施形態の中継器の接続端子を示す側面図。
【図１６】前記実施形態の収納部の変形を示す斜視図。
【図１７】同上収納部を示す平面図。
【図１８】同上収納部の底面形状を示す断面図。
【図１９】同上収納部のピックアップ部と光ディスク傾き規制部とを示す図。
【図２０】前記実施形態の筐体およびスタンドの変形を示す断面図。
【図２１】前記実施形態のスタンドの変形を示す斜視図。
【図２２】同上スタンドが取り付けられる筐体の変形を示す斜視図。
【図２３】同上スタンドと筐体との組立状態を示す断面図。
【図２４】同上スタンドと筐体との組立状態を示す他の断面図。
【図２５】前記実施形態の筐体底面部の変形を示す斜視図。
【図２６】表示装置およびアッタッチメントを示す斜視図。
【符号の説明】
【００９８】
１…エンタテインメント装置（ディスク装置）、２…筐体、６…ねじ（締結具）、２１…アッパーケース（筐体本体）、２１Ａ１…蓋部、２１Ａ３…仕切部材、２Ｄ１…ねじ孔（スタンド取付部）、２Ｄ２…スタンド取付部、２Ｄ２１…係合孔、２Ｄ２２…締結具挿入孔、３１Ａ，３１Ｂ…凹部、３…収納凹部、３２…凸状部、３２Ａ…面、４Ｂ…ピックアップ部（情報読取／書込手段）、５，５０,５４…スタンド、５４Ａ…基板、５４Ｂ…支持台部、５４Ｃ…係合爪部。
【図１】
2005353253.tif 000003
【図２】
2005353253.tif 000004
【図３】
2005353253.tif 000005
【図４】
2005353253.tif 000006
【図５】
2005353253.tif 000007
【図６】
2005353253.tif 000008
【図７】
2005353253.tif 000009
【図８】
2005353253.tif 000010
【図９】
2005353253.tif 000011
【図１０】
2005353253.tif 000012
【図１１】
2005353253.tif 000013
【図１２】
2005353253.tif 000014
【図１３】
2005353253.tif 000015
【図１４】
2005353253.tif 000016
【図１５】
2005353253.tif 000017
【図１６】
2005353253.tif 000018
【図１７】
2005353253.tif 000019
【図１８】
2005353253.tif 000020
【図１９】
2005353253.tif 000021
【図２０】
2005353253.tif 000022
【図２１】
2005353253.tif 000023
【図２２】
2005353253.tif 000024
【図２３】
2005353253.tif 000025
【図２４】
2005353253.tif 000026
【図２５】
2005353253.tif 000027
【図２６】
2005353253.tif 000028